(57)【要約】【課題】ベルト本体の長さ調整を予めする必要がなく、迅速でスムーズに装着することができるスーツケースベルトを提供する。【解決手段】スーツケースベルト１１は、帯状の前記ベルト本体１２と、ベルト本体を折り返した途中の部位１２ｄに挿通し当該ベルト本体の締付け調整をＯＮ／ＯＦＦ状態にするストッパー部１３と、折り返したベルト本体の一端側１２ａに止着され当該ベルト本体の一端側と途中１２ｃとを重ね合わせて摺動自在に保持する保持部１４と、一端１５ａがストッパー部に接続し他端１５ｂが一方側バックル１６に接続する弾性帯体１５と、ベルト本体の他端側１２ｂが接続し一方側バックルに取り外し自在に連結する他方側バックル１７とを備える。【選択図】図２
0003220360.tif 000002
【実用新案登録請求の範囲】
【請求項１】
スーツケースの周囲に巻き付けて一方側バックルと他方側バックルとを挿着し、ベルト本体を締めて装着するスーツケースベルトであって、
該スーツケースベルトは、
帯状の前記ベルト本体と、
該ベルト本体を折り返した途中の部位に挿通し当該ベルト本体の締付け調整をＯＮ／ＯＦＦ状態にするストッパー部と、
前記折り返したベルト本体の一端側に止着され当該ベルト本体の一端側と途中とを重ね合わせて摺動自在に保持する保持部と、
一端が前記ストッパー部に接続し他端が前記一方側バックルに接続する弾性帯体と、
前記ベルト本体の他端側が接続し前記一方側バックルに取り外し自在に連結する前記他方側バックルと、を少なくとも備えること
を特徴とするスーツケースベルト。
【請求項２】
前記ストッパー部は、長孔を介して上下両側に掛止部を備える第１板部材と第２板部材とを備え、
前記ベルト本体を折り返した途中の部位を前記第２板部材の上側掛止部に掛止して前記第１板部材の長孔に挿通し、
前記弾性帯体の一端を前記第１板部材の下側掛止部及び前記第２板部材の下側掛止部に掛止する構成であること
を特徴とする請求項１に記載のスーツケースベルト。
【請求項３】
前記弾性帯部は、少なくとも二重構造に形成され、反転させたその内側にコンパクトに纏めたスーツケースベルト全体を包んで収納できる仕組みであること
を特徴とする請求項１に記載のスーツケースベルト。
【請求項４】
前記ベルト本体の他端側には、前記バックルの下部側に当接する滑り止め片が設けられていること
を特徴とする請求項１に記載のスーツケースベルト。
【請求項５】
前記保持部には、ネームカードを収納して表示する窓部が形成されていること
を特徴とする請求項１に記載のスーツケースベルト。
【考案の詳細な説明】
【技術分野】
【０００１】
本考案は、スーツケースの周囲に巻き付け、締めて装着するスーツケースベルトに関するものであり、更に詳しくは、ベルト本体の長さ調整を予めする必要がなく、迅速でスムーズに装着することができるスーツケースベルトに関するものである。
【背景技術】
【０００２】
従来のスーツケースベルトとしては、図８に示す構成のものが知られている。このスーツケースベルト１は、ベルト本体２と、ベルト本体２の一端部２ａに接続した雌側バックル３と、雌側バックル３に取り外し自在に連結する雄側バックル４と、ベルト本体２の途中に挿通した長さ調整具５とからなり、ベルト本体２の他端部２ｂを雄側バックル４の通し孔６に挿通して折り返し、長さ調整具５の中骨７に接続した構成である（特許文献１参照）。
【０００３】
このような構成のスーツケースベルト１は、長さ調整具５をベルト本体２の長さ方向に沿って移動することにより、ベルト本体２の長さを適宜に調整することができる。
【０００４】
このスーツケースベルト１をスーツケースの周囲に装着する場合は、長さ調整具５でベルト本体２の長さを予め調整してから、スーツケースベルト１をスーツケースの周囲に巻き付けて、雄側バックル４を雌側バックル３に挿着する手順で行う。
【先行技術文献】
【特許文献】
【０００５】
【特許文献１】実用新案登録第３０６８８７２号公報
【考案の概要】
【考案が解決しようとする課題】
【０００６】
この従来例のスーツケースベルト１においては、長さ調整具５でベルト本体２の長さを予め調整するときに、目測を誤ってベルト本体２が長すぎる場合や、あるいは短すぎる場合がある。このような場合は、スーツケースベルト１がスーツケースの周囲にピッタリと装着できる長さになるまで、長さ調整具５でベルト本体２の長さ調整作業を繰り返すこととなり、その作業が繁雑で煩わしいという問題点を有している。
【０００７】
従って、従来例におけるスーツケースベルト１においては、ベルト本体２の長さ調整作業を無くして、スーツケースベルト１を迅速でスムーズにスーツケースの周囲に装着することに解決しなければならない課題を有している。
【課題を解決するための手段】
【０００８】
前記従来例の課題を解決するための本考案の要旨は、スーツケースの周囲に巻き付けて一方側バックルと他方側バックルとを挿着し、ベルト本体を締めて装着するスーツケースベルトであって、該スーツケースベルトは、帯状の前記ベルト本体と、該ベルト本体を折り返した途中の部位に挿通し当該ベルト本体の締付け調整をＯＮ／ＯＦＦ状態にするストッパー部と、前記折り返したベルト本体の一端側に止着され当該ベルト本体の一端側と途中とを重ね合わせて摺動自在に保持する保持部と、一端が前記ストッパー部に接続し他端が前記一方側バックルに接続する弾性帯体と、前記ベルト本体の他端側が接続し前記一方側バックルに取り外し自在に連結する前記他方側バックルと、を少なくとも備えることである。
【０００９】
また、前記ストッパー部は、長孔を介して上下両側に掛止部を備える第１板部材と第２板部材とを備え、前記ベルト本体を折り返した途中の部位を前記第２板部材の上側掛止部に掛止して前記第１板部材の長孔に挿通し、前記弾性帯体の一端を前記第１板部材の下側掛止部及び前記第２板部材の下側掛止部に掛止する構成であること、；
前記弾性帯部は、少なくとも二重構造に形成され、反転させたその内側にコンパクトに纏めたスーツケースベルト全体を包んで収納できる仕組みであること、；
前記ベルト本体の他端側には、前記バックルの下部側に当接する滑り止め片が設けられていること、；
前記保持部には、ネームカードを収納して表示する窓部が形成されていること、；
を含むものである。
【考案の効果】
【００１０】
本考案に係るスーツケースベルトによれば、スーツケースの周囲に巻き付けて、一方側バックルと他方側バックルとを挿着して連結し、ストッパー部を操作してベルト本体を締め付けるよう引っ張れば、スーツケースベルトを迅速で確実に装着することができる。
つまり、従来例のようにベルト本体の長さ調整を予めする必要がなく、また、長さ調整作業を繰り返す煩わしさがないという優れた効果を奏する。
【００１１】
ストッパー部は、長孔を介して上下両側に掛止部を備える第１板部材と第２板部材とを備え、ベルト本体を折り返した途中の部位を第２板部材の上側掛止部に掛止して第１板部材の長孔に挿通し、弾性帯体の一端を第１板部材の下側掛止部と第２板部材の下側掛止部とに掛止する構成であることによって、第１板部材をベルト本体に対して垂直方向に立たせれば、当該ベルト本体の締付け調整がＯＮ状態になるので、ベルト本体を締め付けることができる。
また、第１板部材をベルト本体に対して水平方向に倒伏させれば、当該ベルト本体の締付け調整がＯＦＦ状態になるので、ベルト本体が固定状態に維持されるという優れた効果を奏する。
【００１２】
弾性帯部は、少なくとも二重構造に形成され、反転させたその内側にコンパクトに纏めたスーツケースベルト全体を包んで収納できる仕組みであることにって、スーツケースベルトを使用しないときにコンパクトにして収納できるので、場所を取らずに便利であるという優れた効果を奏する。
【００１３】
ベルト本体の他端側には、バックルの下部側に当接する滑り止め片が設けられていることによって、滑り止め片がスーツケースに当接してピッタリとフィットするので、バックル部分のズレが生じ難く、装着状態が安定するという優れた効果を奏する。
【００１４】
保持部には、ネームカードを収納して表示する窓部が形成されていることによって、ネームカードに住所や氏名等を記載して表示することができるので便利であるという優れた効果を奏する。
【図面の簡単な説明】
【００１５】
【図１】本考案に係るスーツケースベルト１１の斜視図である。
【図２】本考案に係るスーツケースベルト１１の斜視図である。
【図３】バックル１６、１７と、弾性帯体１５と、滑り止め片２６とを示す要部の斜視図である。
【図４】第１板部材２１及び第２板部材２５の正面図である。
【図５】第１板部材２１を垂直方向に立たせた状態を側面から示す要部の断面図である。
【図６】第１板部材２１を水平方向に倒伏させた状態を側面から示す要部の断面図である。
【図７】弾性帯部１５を反転させて纏めたスーツケースベルト全体を包んだ状態の斜視図である。
【図８】従来例に係るスーツケースベルト１の斜視図である。
【考案を実施するための形態】
【００１６】
次に、本考案の実施の形態について図面を参照しながら説明する。まず、図１及び図２において、符号１１はスーツケースベルトを示し、このスーツケースベルト１１は、帯状のベルト本体１２と、ベルト本体１２を折り返した途中の部位１２ｄに挿通し当該ベルト本体１２の締付け調整をＯＮ／ＯＦＦ状態にするストッパー部１３と、折り返したベルト本体１２の一端側１２ａに止着され当該ベルト本体１２の一端側１２ａと途中１２ｃとを重ね合わせて摺動自在に保持する保持部１４と、一端１５ａがストッパー部１３に接続し他端１５ｂが一方側バックル１６に接続する弾性帯体１５と、ベルト本体１２の他端側１２ｂが接続し一方側バックル１６に取り外し自在に連結する他方側バックル１７とから構成される。
【００１７】
ベルト本体１２は、布材又は樹脂材等の適宜の材料で、所要の長さを有して帯状に形成される。ベルト本体１２を折り返した途中の部位１２ｄには、ストッパー部１３が設けられている。ストッパー部１３の詳細な構成については後述する。
また、ベルト本体１２の一端側１２ａには、図示しない面ファスナーを介して保持部１４が止着されている。さらに、ベルト本体１２の一端側１２ａには、引き手２８が設けられている。
ベルト本体１２の他端側１２ｂには、他方側バックル１７（例えば雄側バックル）が設けられている。さらに、ベルト本体１２の他端側１２ｂには、図３に示すように、バックル１６、１７の下部側に当接する滑り止め片２６が設けられている。この滑り止め片２６がスーツケースに当接してピッタリとフィットするので、バックル１６、１７部分のズレが生じ難く、装着状態が安定する。
【００１８】
ストッパー部１３は、図４に示すように、第１板部材２１と第２板部材２５とを備える。第１板部材２１は、長孔１８を介して上側掛止部１９と下側掛止部２０とを有する。上側掛止部１９の縁部１９ａは波形に形成されており、この波形部分に指を引っ掛けて操作し易いようになっている。第２板部材２５は、長孔２２を介して上側掛止部２３と下側掛止部２４とを有する。
そして、ストッパー部１３は、図５及び図６に示すように、ベルト本体１２を折り返した途中の部位１２ｄを、第２板部材２５の上側掛止部２３に掛止して、第１板部材２１の長孔１８を挿通している。さらに、弾性帯体１５の一端１５ａを、第１板部材２１の下側掛止部２０及び第２板部材２５の下側掛止部２４に掛止した構成である。
【００１９】
ストッパー部１３がこのような構成であることによって、図５に示すように、第１板部材２１をベルト本体１２に対して垂直方向に立たせれば、ベルト本体１２を折り返した途中の部位１２ｄ周辺に隙間が生じて、当該ベルト本体１２の締付け調整がＯＮ状態になり、ベルト本体１２を締め付けることができる（矢印Ａ方向）。また、ベルト本体１２を緩めることもできる（矢印Ｂ方向）
また、図６に示すように、第１板部材２１をベルト本体１２に対して水平方向に倒伏させれば、当該ベルト本体１２の締付け調整がＯＦＦ状態になり、ベルト本体１２が固定状態に維持される。
【００２０】
保持部１４は、図１及び図２に示すように、両縁１４ａ、１４ａが縫着され、両側に挿通口１４ｂ、１４ｂを有して、二重構造に形成されており、その内側が、折り返したベルト本体１２の一端側１２ａに、面ファスナー（図示せず）を介して止着している。さらに、保持部１４は、当該ベルト本体１２の一端側１２ａと途中１２ｃとを重ね合わせた状態で保持しており、その結果、重ね合わせてた途中１２ｃの部分が摺動自在になっている。
【００２１】
また、保持部１４には、ネームカードを収納して表示する窓部２７が形成されている。従って、ネームカードに住所や氏名等を記載して表示することができる。
【００２２】
弾性帯体１５は、ゴム材等の弾性体で、図３に示すように、両端１５ａ、１５ｂ側に  縫着部１５ｃが設けられて少なくとも二重構造に形成されており、その一端１５ａが第１板部材２１の下側掛止部２０及び第２板部材２５の下側掛止部２４（図５参照）に掛止する構成である。また、弾性帯体１５の他端１５ｂが一方側バックル１６（例えば雌側バックル）に接続している。
【００２３】
また、弾性帯体１５はゴム材等の弾性体で形成されるので、スーツケースに当接してピッタリとフィットし、ズレが生じ難く装着状態が安定する。
そして、弾性帯部１５が二重構造に形成されているので、図７に示すように、反転させたその内側にコンパクトに纏めたスーツケースベルト全体を包んで収納できる仕組みになっている。従って、スーツケースベルト１１を使用しないときにはコンパクトにして収納できる。
【００２４】
一方側バックル１６は、例えば雌側バックルであり、他方側バックル１７は、例えば雄側バックルであって、一方側バックル１６と他方側バックル１７とを取り外し自在に連結することができる（図１及び図２参照）。
【００２５】
以上のように構成されるスーツケースベルト１１は、スーツケースの周囲に巻き付けて、一方側バックル１６と他方側バックル１７とを挿着して連結する。そして、第１板部材２１をベルト本体１２に対して垂直方向に立たせて当該ベルト本体１２の締付け調整をＯＮ状態にし、ベルト本体１２を締め付けるよう引っ張れば、スーツケースベルトを迅速で確実に装着することができる。
【符号の説明】
【００２６】
１    スーツケースベルト
２    ベルト本体
２ａ  一端部
２ｂ  他端部
３    雌側バックル
４    雄側バックル
５    長さ調整具
６    通し孔
７    中骨
１１  スーツケースベルト
１２  ベルト本体
１２ａ一端側
１２ｂ他端側
１２ｃ途中
１２ｄ折り返した途中の部位
１３  ストッパー部
１４  保持部
１４ａ縁
１４ｂ挿通口
１５  弾性帯体
１５ａ一端
１５ｂ他端
１５ｃ縫着部
１６  一方側バックル（雌側バックル）
１７  他方側バックル（雄側バックル）
１８  長孔
１９  上側掛止部
２０  下側掛止部
２１  第１板部材
２２  長孔
２３  上側掛止部
２４  下側掛止部
２５  第２板部材
２６  滑り止め片
２７  窓部
２８  引き手
【図１】
0003220360.tif 000003
【図２】
0003220360.tif 000004
【図３】
0003220360.tif 000005
【図４】
0003220360.tif 000006
【図５】
0003220360.tif 000007
【図６】
0003220360.tif 000008
【図７】
0003220360.tif 000009
【図８】
0003220360.tif 000010